(57)【特許請求の範囲】
【請求項１】
吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源から排熱を投入する排熱ライン（Ｌ２）には前記第１の排熱熱交換器（５２）が介装されており、前記排熱ライン（Ｌ２）には第１の三方弁（ＶＰ）を介して前記排熱焚再生器（３０）に連通するライン（Ｌ２−１）と前記排熱焚再生器（３０）と前記第１の排熱熱交換器（５２）とをバイパスするバイパスライン（Ｌ２−２）とが分岐されており、さらに前記排熱焚再生器（３０）に連通するライン（Ｌ２−３）には第２の三方弁（Ｖ１）を介して前記排熱焚再生器（３０）に至るライン（Ｌ２−３）と前記排熱焚再生器（３０）をバイパスする別のバイパスライン（Ｌ２−４）とが分岐されており、そして排熱温度（Ｔｉｎ）を計測するための第１の排熱用の温度センサ（５０）が排熱ライン（Ｌ２）に介装され、前記第１の三方弁（ＶＰ）は、第１の排熱用の温度センサ（５０）の測定した排熱温度が第１の排熱熱交換器（５２）が介装された領域の吸収溶液温よりも低温であれば、バイパスライン（Ｌ２−２）側に切り換わり、高温であれば排熱投入側のライン（Ｌ２−１）に切り換わるように構成され、第２の三方弁（Ｖ１）は、第１の排熱用の温度センサ（５０）が測定した排熱温度が排熱焚再生器（３０）内の吸収溶液の液温よりも高温であれば排熱焚再生器（３０）に至るライン（Ｌ２−３）に切り換わり、低温であれば排熱焚再生器（３０）をバイパスする別のバイパスライン（Ｌ２−４）に切り換わるように構成されていることを特徴とする吸収冷温水機。
【請求項２】
吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第１の三方弁（ＶＰ）は、第１の排熱用の温度センサ（５０）が測定した排熱温度（Ｔｉｎ）が、第１の排熱熱交換器（５２）が介装された領域の吸収溶液液温に対応する設定低温（ＴＶＬ）よりも低温であればバイパスライン（Ｌ２−２）側に切り換わり、高温であれば排熱投入側（Ｌ２−１）に切り換わる様に構成されており、第２の三方弁（Ｖ１）は、第１の排熱用の温度センサ（５０）が測定した排熱温度（Ｔｉｎ）が、排熱焚再生器（３０）内の吸収溶液の液温（排熱焚再生器３０で加熱・再生された吸収溶液の液温と実質的に同一温度：以下、本明細書で同じ）に相当する設定高温（ＴＶ１）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されていることを特徴とする吸収冷温水機。
【請求項３】
吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第１の三方弁（ＶＰ）は、第１の排熱用の温度センサ（５０）が測定した排熱温度（Ｔｉｎ）が、第１の排熱熱交換器（５２）が介装された領域の吸収溶液液温（ＴＬ１）よりも低温であればバイパスライン（Ｌ２−２）側に切り換わり、高温であれば排熱投入側（Ｌ２−１）に切り換わる様に構成されており、第２の三方弁（Ｖ１）は、第１の排熱用の温度センサ（５０）が測定した排熱温度（Ｔｉｎ）が、排熱焚再生器（３０）内の吸収溶液の液温（ＴＬ２）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されており、第３の三方弁（Ｖ２）は、第１の排熱用の温度センサ（５０）が測定した排熱温度（Ｔｉｎ）が、第２の排熱熱交換器（５８）が介装された領域の吸収溶液液温（ＴＬ２）よりも高温であれば第２の排熱熱交換器（５８）に連通するライン（Ｌ２−１１）側に切り換わり、低温であれば第２の排熱熱交換器（５８）に連通するライン（Ｌ２−１１）をバイパスする側（Ｌ２−１２）に切り換わる様に構成されている請求項２記載の吸収冷温水機。
【請求項４】
吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第２の排熱熱交換器（５８）に連通する排熱ライン（Ｌ１−１１）及びそれをバイパスするライン（Ｌ１−１２）の合流点と第２の三方弁（Ｖ１）との間の領域に第２の排熱用の温度センサ（１６８）を介装し、第１の三方弁（ＶＰ）は、第１の排熱用の温度センサ（５０）が測定した排熱温度（Ｔｉｎ）が、第１の排熱熱交換器（５２）が介装された領域の吸収溶液液温（ＴＬ１）よりも低温であればバイパスライン（Ｌ２−２）側に切り換わり、高温であれば排熱投入側（Ｌ２−１）に切り換わる様に構成されており、第２の三方弁（Ｖ１）は、第２の排熱用の温度センサ（１６８）が測定した排熱温度（ＴＬ４）が、排熱焚再生器（３０）内の吸収溶液の液温（ＴＬ２）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されており、第３の三方弁（Ｖ２）は、第１の排熱用の温度センサ（５０）が測定した排熱温度（Ｔｉｎ）が、第２の排熱熱交換器（５８）が介装された領域の吸収溶液液温（ＴＬ３）よりも高温であれば第２の排熱熱交換器（５８）に連通するライン（Ｌ２−１１）側に切り換わり、低温であれば第２の排熱熱交換器（５８）に連通するライン（Ｌ２−１１）をバイパスする側（Ｌ２−１２）に切り換わる様に構成されている請求項２記載の吸収冷温水機。
【請求項５】
前記吸収器（１２）から出た吸収溶液が流れる溶液ラインが第１の分岐点（ＢＰ）で２本の溶液ラインに分岐しており、２本に分岐した溶液ラインの一方のライン（Ｌ１−１）には低温溶液熱交換器（２２）が介装されており、他方のライン（Ｌ１−２）には第１の排熱熱交換器（５２）が介装されている請求項１記載の吸収冷温水機。
【請求項６】
前記吸収器（１２）から出た吸収溶液が流れる溶液ラインが第１の分岐点（ＢＰ）で２本の溶液ラインに分岐しており、２本に分岐した溶液ラインの一方のライン（Ｌ１−１）には低温溶液熱交換器（２２）が介装されており、他方のライン（Ｌ１−２）には第１の排熱熱交換器（５２）が介装されており、高温再生器（１４）に連通する溶液ラインは２本の溶液ラインが合流して構成されており、該２本の溶液ラインの一方のライン（Ｌ１−１）には高温溶液熱交換器（２４）が介装されており、他方のライン（Ｌ１−２）には第２の排熱熱交換器（５８）が介装されている請求項２記載の吸収冷温水機。
【請求項７】
前記排熱焚再生器（３０）で再生された気相冷媒が流れる冷媒蒸気ライン（Ｌ１３）が連通する第２の凝縮器（５４）を設け、第２の凝縮器（５４）で凝縮した液相冷媒が流れる冷媒ライン（Ｌ５４）が凝縮器（１８）と蒸発器（２０）とを連通する冷媒ライン（Ｌ８）と合流する様に構成した請求項１又は２のいずれかに記載の吸収冷温水機。
【発明の詳細な説明】
【０００１】
【発明の属する技術分野】
本発明は吸収冷温水機に関し、特に、排熱焚再生器を備えた吸収冷温水機に関する。
【０００２】
【従来の技術】
図２９は、所謂「シリーズフロー」タイプとして構成された従来の吸収式冷温水機を示している。
図２９において、吸収器１２からポンプ１３により送出された稀溶液は、稀溶液ラインＬ１を流過し、低温溶液熱交換器２２を経由して排熱焚再生器３０に流入する。排熱焚再生器３０において、排熱ラインＬ２を流れる排熱保有流体（例えば蒸気或いは温排水）が保有する熱量により再生が行われ、再生後の溶液は、ポンプ３１によりヘッドが付加される。そして、ポンプ３１によりヘッドが付加された溶液は、高温溶液熱交換器２４を介して高温再生器１４に送られる。
【０００３】
高温再生器１４においては、例えばガス等の高質燃料による加熱（例えば、バーナ１５による加熱）が行われ、発生した冷媒蒸気（水蒸気）は蒸気ラインＬ１１を流れ、低温再生器１６を介して凝縮器１８に送られる。そして、低温再生器１６において、蒸気が保有する熱量により吸収溶液が再生される。
なお、排熱焚再生器３０で発生した冷媒蒸気はラインＬ１３を介して凝縮器１８に流入し、低温再生器１６で発生した冷媒蒸気はラインＬ１５を介して凝縮器１８に流入する。
【０００４】
高温再生器１４で加熱・凝縮された吸収溶液（中間濃度溶液）は、中間濃度溶液ラインＬ３を流れて低温再生器１６へ流入し、低温再生器１６で加熱・再生された後、高濃度溶液ラインＬ４を流れ、低温溶液熱交換器２２を経由して、吸収器１２に戻る。
【０００５】
凝縮器１８で凝縮した液相冷媒は、ラインＬ８を流れて蒸発器２０へ供給される。蒸発器２０で冷水ライン（図示せず）を流れる冷水から気化熱を奪って蒸発した冷媒蒸気は、ラインＬ１０を流れて、吸収器１２へ流入する。
【０００６】
上述した従来技術によれば、排熱ラインＬ２を流れる排熱の温度レベルが排熱焚再生器３０内の吸収溶液の温度レベルよりも低いと、吸収冷温水機側から排熱ラインＬ２側（排熱側）に熱が逆流してしまう。
そのため、従来技術においては、排熱温度がある一定レベル以下の低温になると、吸収冷温水機側へ投入しない様な制御が為されていた。
【０００７】
しかし、上述した「一定レベルの排熱温度」は比較的高温（例えば７５℃以上）であり、排熱は排熱源の状況により温度レベルが広範囲に変化し、その様な「一定レベルの排熱温度」を下回る場合が多い。そのため、排熱の有効利用のための機器（排熱焚再生器等）を介装していても、利用出来る排熱の温度範囲が狭く、有効利用が出来ない場合が非常に多い、という問題が存在する。
【０００８】
【発明が解決しようとする課題】
本発明は上述した従来技術の問題点に鑑みて提案されたものであり、排熱焚再生器を有する吸収冷温水機であって、従来技術では利用出来なかった様な温度レベルの排熱も利用することが出来て、しかも、吸収冷温水機から排熱側に熱が逆流することが完全に防止出来る吸収冷温水機の提供を目的としている。
【０００９】
【課題を解決するための手段】
本発明によれば、吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源から排熱を投入する排熱ライン（Ｌ２）には前記第１の排熱熱交換器（５２）が介装されており、前記排熱ライン（Ｌ２）には第１の三方弁（ＶＰ）を介して前記排熱焚再生器（３０）に連通するライン（Ｌ２−１）と前記排熱焚再生器（３０）と前記第１の排熱熱交換器（５２）とをバイパスするバイパスライン（Ｌ２−２）とが分岐されており、さらに前記排熱焚再生器（３０）に連通するライン（Ｌ２−３）には第２の三方弁（Ｖ１）を介して前記排熱焚再生器（３０）に至るライン（Ｌ２−３）と前記排熱焚再生器（３０）をバイパスする別のバイパスライン（Ｌ２−４）とが分岐されており、そして排熱温度（Ｔｉｎ）を計測するための第１の排熱用の温度センサ（５０）が排熱ライン（Ｌ２）に介装され、前記第１の三方弁（ＶＰ）は、第１の排熱用の温度センサ（５０）の測定した排熱温度が第１の排熱熱交換器（５２）が介装された領域の吸収溶液温よりも低温であれば、バイパスライン（Ｌ２−２）側に切り換わり、高温であれば排熱投入側のライン（Ｌ２−１）に切り換わるように構成され、第２の三方弁（Ｖ１）は、第１の排熱用の温度センサ（５０）が測定した排熱温度が排熱焚再生器（３０）内の吸収溶液の液温よりも高温であれば排熱焚再生器（３０）に至るライン（Ｌ２−３）に切り換わり、低温であれば排熱焚再生器（３０）をバイパスする別のバイパスライン（Ｌ２−４）に切り換わるように構成されている。
【００１０】
かかる構成を具備する本発明によれば、従来は排熱として利用することが出来なかった様な温度レベル（例えば、排熱焚再生器内の溶液温度よりも低い温度レベル）の排熱も、液温が比較的低い稀溶液に投入して、有効利用することが出来る。
また、排熱が比較的高温の段階では、吸収冷温水機を循環する各種温度レベルの溶液ラインの吸収溶液に投入し、温度レベルが高い領域から温度レベルの低い領域に順次投入するという排熱のカスケード利用を達成して、排熱の利用効率を更に高めることが出来る。
しかも、吸収冷温水機側から排熱側へ熱の逆流が生じることも、完全に防止している。
【００１１】
また本発明によれば、吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第１の三方弁（ＶＰ）は、第１の排熱用の温度センサ（５０）が測定した排熱温度（Ｔｉｎ）が、第１の排熱熱交換器（５２）が介装された領域の吸収溶液液温に対応する設定低温（ＴＶＬ）よりも低温であればバイパスライン（Ｌ２−２）側に切り換わり、高温であれば排熱投入側（Ｌ２−１）に切り換わる様に構成されており、第２の三方弁（Ｖ１）は、第１の排熱用の温度センサ（５０）が測定した排熱温度（Ｔｉｎ）が、排熱焚再生器（３０）内の吸収溶液の液温（排熱焚再生器３０で加熱・再生された吸収溶液の液温と実質的に同一温度：以下、本明細書で同じ）に相当する設定高温（ＴＶ１）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されている。
【００１２】
かかる構成を具備する本発明では、第２の排熱熱交換器を設けることにより、排熱を投入する箇所を増加し、排熱を利用する温度レベルを増加したので、より精緻な排熱のカスケード利用を達成している。その結果、排熱の利用効率を更に高めている。
【００１６】
そして本発明によれば、吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第１の三方弁（ＶＰ）は、第１の排熱用の温度センサ（５０）が測定した排熱温度（Ｔｉｎ）が、第１の排熱熱交換器（５２）が介装された領域の吸収溶液液温（ＴＬ１）よりも低温であればバイパスライン（Ｌ２−２）側に切り換わり、高温であれば排熱投入側（Ｌ２−１）に切り換わる様に構成されており、第２の三方弁（Ｖ１）は、第１の排熱用の温度センサ（５０）が測定した排熱温度（Ｔｉｎ）が、排熱焚再生器（３０）内の吸収溶液の液温（ＴＬ２）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されており、第３の三方弁（Ｖ２）は、第１の排熱用の温度センサ（５０）が測定した排熱温度（Ｔｉｎ）が、第２の排熱熱交換器（５８）が介装された領域の吸収溶液液温（ＴＬ２）よりも高温であれば第２の排熱熱交換器（５８）に連通するライン（Ｌ２−１１）側に切り換わり、低温であれば第２の排熱熱交換器（５８）に連通するライン（Ｌ２−１１）をバイパスする側（Ｌ２−１２）に切り換わる様に構成されている。
【００１７】
さらに本発明によれば、吸収器（１２）と、高温再生器（１４）と、排熱焚再生器（３０）と、凝縮器（１８）と、蒸発器（２０）とを備えた吸収冷温水機において、前記吸収器（１２）からの溶液ライン（Ｌ１）に外部排熱源からの排熱を投入するための第１の排熱熱交換器（５２）を介装し、前記排熱焚再生器（３０）に排熱源からの排熱を投入する排熱ライン（Ｌ２）には前記排熱焚再生器（３０）および第１の排熱熱交換器（５２）が介装されており、前記排熱ライン（Ｌ２）には第１の三方弁（ＶＰ）を介して前記排熱焚再生器（３０）および第１の熱交換器（５２）をバイパスするバイパスライン（Ｌ２−２）と排熱焚再生器（３０）に連通する連通ライン（Ｌ２−１）に分岐されており、前記連通ライン（Ｌ２−１）は第３の三方弁（Ｖ２）を介して前記排熱焚再生器（３０）からの溶液ライン（Ｌ１−４）に設けた第２の排熱熱交換器（５８）に連通する別の連通ライン（Ｌ２−１１）と前記第２の排熱熱交換器（５８）をバイパスする別のバイパスライン（Ｌ２−１２）とに分岐されており、前記別の連通ライン（Ｌ２−１１）と、前記別のバイパスライン（Ｌ２−１２）とが合流した合流ライン（Ｌ２−１３）は第１の三方弁（ＶＰ）を介して排熱焚再生器（３０）に連通する第３の排熱ライン（Ｌ２−３）と排熱焚再生器（３０）をバイパスする第３のバイパスライン（Ｌ２−４）とに分岐されており、そして前記第３の排熱ライン（Ｌ２−３）と第３のバイパスライン（Ｌ２−４）とが合流した合流ライン（Ｌ２−５）は前記第１の排熱熱交換器（５２）を介装しており、排熱ライン（Ｌ２）には排熱温度（Ｔｉｎ）を計測するための第１の排熱用の温度センサ（５０）が設けられ、第１の排熱熱交換器（５２）が介装された領域よりも溶液温度レベルが高い領域に第２の排熱熱交換器（５８）が介装されており、前記第２の排熱熱交換器（５８）に連通する排熱ライン（Ｌ１−１１）及びそれをバイパスするライン（Ｌ１−１２）の合流点と第２の三方弁（Ｖ１）との間の領域に第２の排熱用の温度センサ（１６８）を介装し、第１の三方弁（ＶＰ）は、第１の排熱用の温度センサ（５０）が測定した排熱温度（Ｔｉｎ）が、第１の排熱熱交換器（５２）が介装された領域の吸収溶液液温（ＴＬ１）よりも低温であればバイパスライン（Ｌ２−２）側に切り換わり、高温であれば排熱投入側（Ｌ２−１）に切り換わる様に構成されており、第２の三方弁（Ｖ１）は、第２の排熱用の温度センサ（１６８）が測定した排熱温度（ＴＬ４）が、排熱焚再生器（３０）内の吸収溶液の液温（ＴＬ２）よりも高温であれば排熱焚再生器（３０）が連通するライン（Ｌ２−３）側に切り換わり、低温であれば排熱焚再生器（３０）が連通するライン（Ｌ２−３）をバイパスする側（Ｌ２−４）に切り換わる様に構成されており、第３の三方弁（Ｖ２）は、第１の排熱用の温度センサ（５０）が測定した排熱温度（Ｔｉｎ）が、第２の排熱熱交換器（５８）が介装された領域の吸収溶液液温（ＴＬ３）よりも高温であれば第２の排熱熱交換器（５８）に連通するライン（Ｌ２−１１）側に切り換わり、低温であれば第２の排熱熱交換器（５８）に連通するライン（Ｌ２−１１）をバイパスする側（Ｌ２−１２）に切り換わる様に構成されている。
【００１８】
又本発明によれば、前記吸収器（１２）から出た吸収溶液が流れる溶液ラインが第１の分岐点（ＢＰ）で２本の溶液ラインに分岐しており、２本に分岐した溶液ラインの一方のライン（Ｌ１−１）には低温溶液熱交換器（２２）が介装されており、他方のライン（Ｌ１−２）には第１の排熱熱交換器（５２）が介装されている。
【００１９】
そして本発明によれば、前記吸収器（１２）から出た吸収溶液が流れる溶液ラインが第１の分岐点（ＢＰ）で２本の溶液ラインに分岐しており、２本に分岐した溶液ラインの一方のライン（Ｌ１−１）には低温溶液熱交換器（２２）が介装されており、他方のライン（Ｌ１−２）には第１の排熱熱交換器（５２）が介装されており、高温再生器（１４）に連通する溶液ラインは２本の溶液ラインが合流して構成されており、該２本の溶液ラインの一方のライン（Ｌ１−１）には高温溶液熱交換器（２４）が介装されており、他方のライン（Ｌ１−２）には第２の排熱熱交換器（５８）が介装されている。
【００２０】
また本発明によれば、前記排熱焚再生器（３０）で再生された気相冷媒が流れる冷媒蒸気ライン（Ｌ１３）が連通する第２の凝縮器（５４）を設け、第２の凝縮器（５４）で凝縮した液相冷媒が流れる冷媒ライン（Ｌ５４）が凝縮器（１８）と蒸発器（２０）とを連通する冷媒ライン（Ｌ８）と合流する様に構成してある。
【００２２】
なお、本発明において、下胴の部分（吸収器１２、蒸発器２０）を複数段に構成することも可能である。
【００２３】
【発明の実施の形態】
【００２４】
以下、図１−図２８を参照して、本発明の実施の形態について説明する。なお、図示の実施形態において、上述した部材を含めて、同様な部材については同様な符号が付されている。
【００２５】
図１において、全体を符号１０で示す本発明の吸収式冷温水機は、所謂「シリーズフロー」タイプとして構成されている。吸収器１２からポンプ１３により送出された稀溶液は、稀溶液ラインＬ１を流過する。
【００２６】
稀溶液ラインは、第１の分岐点ＢＰでラインＬ１−１とラインＬ１−２とに分岐し、ラインＬ１−１は低温溶液熱交換器２２を経由し、ラインＬ１−２は排熱熱交換器５２（第１の排熱熱交換器）を経由する。そして、ラインＬ１−２を流れる稀溶液に対して、後述の態様により排熱が投入される。
【００２７】
ラインＬ１−１、Ｌ１−２は第１の合流点ＢＰ０で合流してラインＬ１−３となり、排熱焚再生器３０に連通する。排熱焚再生器３０においては、後述する態様で、排熱ラインＬ２−３を流れる排熱保有流体（例えば温排水）が保有する熱量による再生が行われ、再生後の溶液はラインＬ１−４を流れ、該ラインＬ１−４に介装されたポンプ３１によりヘッドが付加される。
【００２８】
ポンプ３１によりヘッドが付加された溶液は、高温溶液熱交換器４２を介して高温再生器１４に送られる。高温再生器１４においては、例えばガス等の高質燃料による加熱（例えば、バーナ１５による加熱）や、高圧蒸気による加熱（図示せず）等が行われ、発生した冷媒蒸気（水蒸気）は蒸気ラインＬ１１を流れ、低温再生器１６を介して凝縮器１８（第１の凝縮器）に送られる。そして、低温再生器１６において、蒸気が保有する熱量により吸収溶液が再生される。
【００２９】
なお、排熱焚再生器３０で発生した冷媒蒸気はラインＬ１３を介して凝縮器１８に流入し、低温再生器１６で発生した冷媒蒸気はラインＬ１５を介して凝縮器１８に流入する。
【００３０】
高温再生器１４で加熱・凝縮された吸収溶液（中間濃度溶液）は、中間濃度溶液ラインＬ３を流れて低温再生器１６へ流入する。この溶液が保有する熱量は、高温溶液熱交換器２４により、溶液ラインＬ１−４を流れる吸収溶液に投入される。そして、低温再生器１６で加熱・再生された後の吸収溶液（高濃度溶液）は、高濃度溶液ラインＬ４を流れ、低温溶液熱交換器２２を経由して、稀溶液ラインＬ１−１を流れる稀溶液に対して保有する熱量を投入してから、吸収器１２に戻る。
【００３１】
図１において、ラインＬ８は凝縮器１８で凝縮した液相冷媒を蒸発器２０へ供給するための液相冷媒ラインである。また、ラインＬ１０は、蒸発器２０で冷水ライン（図示せず）を流れる冷水から気化熱を奪って蒸発した冷媒蒸気が流れる冷媒蒸気ラインであり、吸収器１２へ連通している。
【００３２】
図１の実施形態において、排熱投入系（図１の左側の部分）は、図示しない排熱源からの排熱（温排水、蒸気、その他の流体）が流れる排熱ラインＬ２を備えている。排熱ラインＬ２には、排熱温度（より正確には、排熱を吸収冷温水機１０に投入する以前の排熱保有流体の温度）Ｔｉｎを計測するための排熱用の温度センサ５０が介装されている。
【００３３】
排熱ラインＬ２は、排熱ラインＬ２−１、Ｌ２−２に分岐しており、分岐点には三方弁ＶＰ（第１の三方弁）が介装されている。排熱ラインＬ２−１は、吸収冷温水機１０に対して排熱を投入する排熱投入側に接続するラインである。一方、排熱ラインＬ２−２は、排熱投入側をバイパスするバイパスラインである。
【００３４】
排熱ラインＬ２−１は、吸収冷温水機１０の排熱焚再生器３０に排熱を投入する排熱ラインＬ２−３と、排熱焚再生器３０をバイパスするバイパスラインＬ２−４とに分岐しており、分岐点には三方弁Ｖ１（第２の三方弁）が介装されている。
【００３５】
ここで、温度センサ５０の検出信号は、図示しない信号伝達ラインを介して図示しない制御手段に送出される。そして図示しない制御手段は、三方弁ＶＰ、Ｖ１（第１及び第２の三方弁）に対して、図２を参照して後述する制御態様に従って、図示しない信号伝達ラインを介して制御信号を出力する。
なお、制御手段としてはコントロールユニットを用いて自動制御とすることが好ましいが、オペレータによるマニュアル制御であっても良い。
【００３６】
排熱ラインＬ２−３とバイパスラインＬ２−４とは合流して排熱ラインＬ２−５となり、ラインＬ２−５には排熱熱交換器５２（第１の排熱熱交換器）が介装されている。換言すれば、排熱ラインＬ２−５を流れる流体が保有する排熱は、排熱熱交換器５２を介して、稀溶液ラインＬ１−２を流れる稀溶液に投入されるのである。
排熱ラインＬ２−５は、排熱ラインの合流点ＢＰＧにおいて上述したバイパスラインＬ２−２と合流して排熱ラインＬ２となり、図示しない排熱源ヘ戻る。
【００３７】
図１の実施形態の排熱投入系において、広範囲に亘る排熱の有効利用及び排熱のカスケード利用を可能とするため、温度レベルにより排熱投入の形態を変更している。図２をも参照して、図１の実施形態における排熱投入の制御について説明する。
【００３８】
先ず、温度センサ５０により、排熱ラインＬ２を流れる流体の（排熱投入以前の段階における）温度Ｔｉｎを計測する（ステップＳ１）。そして、計測された温度Ｔｉｎと、予め設定されていた設定低温ＴＶＬ及び設定高温ＴＶ１と比較する（ステップＳ２）。
【００３９】
温度Ｔｉｎが設定低温ＴＶＬよりも低い場合には（ステップＳ２でＴｉｎ＜ＴＶＬの場合）、排熱温度が稀溶液ラインＬ１−２を流れる稀溶液液温よりも低温であることを意味している。
この場合には、三方弁ＶＰをバイパスラインＬ２−２側へ開いて、排熱保有流体を排熱投入系（ラインＬ２−３、第１の排熱熱交換器５２）に対してバイパスさせる（ステップＳ３）。ラインＬ２−３及び／又は第１の排熱熱交換器５２を介して、吸収冷温水機１０を循環する稀溶液から、排熱ラインＬ２側に熱が逆流してしまうことを防止するためである。
【００４０】
ステップＳ２において、温度Ｔｉｎが設定低温ＴＶＬよりも高く、設定高温ＴＶ１よりも低い場合には（ステップＳ２でＴＶＬ≦Ｔｉｎ≦ＴＶ１の場合）、排熱温度は稀溶液ラインＬ１−２を流れる溶液液温よりは高いが、排熱焚再生器３０内の溶液温度よりも低いことを意味する。
換言すれば、排熱がこの温度レベルである場合においては、第１の排熱熱交換器５２を介して排熱ラインＬ２−５を流れる排熱保有流体が保有する排熱がラインＬ１−２の稀溶液に投入され、稀溶液ライン側から排熱Ｌ２側に熱が逆流することはない。しかし、排熱流体が排熱ラインＬ２−３を流れた場合には、排熱焚再生器３０において、吸収冷温水機側から排熱ラインＬ２側へ熱が逆流してしまう。
従って、三方弁ＶＰは排熱ラインＬ２−１側（排熱投入側）に開くが、三方弁Ｖ１は排熱ラインＬ２−４側（排熱焚再生器３０バイパス側）に開く（ステップＳ４）。そして、排熱保有流体は排熱焚再生器３０をバイパスし、排熱ラインＬ２−５を流れ、排熱熱交換器５２を介して稀溶液ラインＬ１−２側へ排熱を投入するのである。
【００４１】
ステップＳ２において、排熱温度Ｔｉｎが設定高温ＴＶ１よりも高温である場合には（ＴＶ１＜Ｔｉｎ）、排熱の温度レベルは排熱焚再生器３０内よりも高温であり、排熱焚再生器３０、排熱熱交換器５２のいずれにおいても、吸収冷温水機側から排熱ラインＬ２側へ熱が逆流することは無く、吸収冷温水機１０に対して適正な排熱投入が行われることを意味している。
従って、三方弁ＶＰは排熱ラインＬ２−１側（排熱投入側）へ開き、三方弁Ｖ１は排熱ラインＬ２−３側（排熱焚再生器３０連通側）へ開く（ステップＳ５）。そして、排熱焚再生器３０及び排熱熱交換器５２を介して、排熱が吸収冷温水機１０を循環する吸収溶液に投入される。
【００４２】
ステップＳ３、Ｓ４、Ｓ５のいずれかの制御を行った後に、制御を終了するか否かを判断し（ステップＳ６）、制御を続行するのであれば、ステップＳ１に戻る（ステップＳ６がＮｏのループ）。
【００４３】
この様な制御を行うことにより、従来は排熱として利用することが出来なかった様な温度レベル（例えば、稀溶液ラインＬ１−２を流れる溶液液温よりは高いが、排熱焚再生器３０内の溶液温度よりも低い温度レベル）の排熱も、液温が比較的低い稀溶液に投入して、有効利用することが出来る。
また、排熱が比較的高温の段階では（稀溶液よりも高温である）排熱焚再生器３０内に投入し、その結果、排熱の温度が低下してから、（排熱焚再生器３０内よりも低温である）稀溶液に投入しており、高温排熱を温度レベルが高い領域に投入し、低温排熱を温度レベルの低い領域に投入するという排熱のカスケード利用を達成しており、排熱の利用効率を更に高めているのである。
しかも、吸収冷温水機側から排熱側へ熱の逆流が生じることも、完全に防止している。
【００４４】
図３は、本発明の第２実施形態にかかる吸収冷温水機を示している。
図１、図２の実施形態にかかる吸収冷温水機は、排熱焚再生器は、吸収器１２から高温再生器１４へ至る領域、より詳細には、第１の合流点ＢＰ０と高温溶液熱交換器２４との間の領域に介装されている。これに対して、図３の実施形態では、排熱焚再生器３０は、高温再生器１４と低温再生器１６との間の吸収溶液ラインに介装されている。
すなわち、高温再生器１４で加熱・濃縮された吸収溶液は溶液ラインＬ３を流れ、排熱焚再生器３０に供給される。そして、排熱焚再生器３０に流入した吸収溶液は、図２を参照して説明されたのと同様な態様により、排熱ラインＬ２から投入される排熱により再生・濃縮され、溶液ラインＬ３−２を流過して、低温再生器１６に流入する。
【００４５】
同様に、図３の実施形態においても、排熱焚再生器３０及び／又は排熱熱交換器５２を介して、排熱（ラインＬ２側）が、吸収冷温水機を循環する吸収溶液に対して、所定の条件充足時に投入される。
ここで、排熱焚再生器３０が介装された位置と、排熱焚再生器３０に流入する吸収溶液の液温レベルの相違とに起因して、図３の実施形態における排熱投入の制御に際しては、予め設定された設定高温の数値が、図１、図２の第１実施形態の場合とは異なっている。
図３の実施形態におけるその他の構成（制御の態様を含む）及び作用効果は、図１、図２の第１実施形態と同様である。
【００４６】
図１−図３は、所謂「シリーズフロー」タイプの吸収冷温水機について本発明を適用した実施形態を示している。これに対して、図４、図５は、所謂「パラレルフロー」タイプの吸収冷温水機について本発明を適用した実施形態である。
【００４７】
図４は本発明の第３実施形態を示している。
吸収器１２から出た稀溶液は、ポンプ１３によりヘッドを付加されて稀溶液ラインＬ１を流れ、第１の分岐点ＢＰでラインＬ１−１とラインＬ１−２とに分岐し、ラインＬ１−１は低温溶液熱交換器２２を経由する。一方、ラインＬ１−２は排熱熱交換器５２（第１の排熱熱交換器）を経由しており、ラインＬ１−２を流れる稀溶液には、図１、図２を参照して説明したのと同様な制御態様により、排熱熱交換器５２を介して排熱が所定の条件充足時に投入される。
ラインＬ１−１、Ｌ１−２は第１の合流点ＢＰ０で合流してラインＬ１−３となる。このラインＬ１−３は、第２の分岐点ＢＰ１において再度分岐して、高温再生器１４に連通するラインＬ１−４と、排熱焚再生器３０に連通するラインＬ１−５となる。
【００４８】
ラインＬ１−４を流れる稀溶液は、高温溶液熱交換器２４を介して高温再生器１４へ流入し、加熱・濃縮された後、溶液ラインＬ３を流れる。
ラインＬ１−５を流れる稀溶液は、排熱焚再生器３０において、（図１、図２を参照して説明したのと同様な制御態様により）排熱ラインＬ２−３から所定の条件充足時に投入された排熱により、加熱・再生・濃縮され、溶液ラインＬ１−６を流れて、低温再生器１６に流入する。
【００４９】
低温再生器１６で加熱・再生・濃縮された吸収溶液は溶液ラインＬ１−７を流れ、溶液ラインＬ１−７は、第２の合流点ＢＰ２において高温再生器１４からの溶液ラインＬ３と合流して溶液ラインＬ４となり、吸収器１２へ戻る。
【００５０】
図４の実施形態においても、温度センサ５０により計測される排熱温度レベルＴｉｎにより、排熱は所定の条件充足時に吸収冷温水機側へ投入される。排熱の所定条件充足時における投入の制御態様、その他の構成及び作用効果については、図１−図３で示す実施形態と同様である。
【００５１】
図５は、本発明の第４実施形態にかかる吸収冷温水機を示す。
図４で示す実施形態（第３実施形態）では、稀溶液ラインＬ１−３の第２の分岐点ＢＰ１よりも低温再生器１６側の領域の溶液ラインに、排熱焚再生器３０が介装されている。これに対して、図５の実施形態では、吸収器１２からの稀溶液ラインＬ１が第１の分岐点ＢＰでラインＬ１−１、Ｌ１−２に分岐して、第１の合流点ＢＰ０で合流した後に、溶液ラインＬ１−３となって排熱焚再生器３０に連通している。換言すれば、図５の実施形態においては、第２の分岐点ＢＰ１よりも吸収器１２側の領域に、排熱焚再生器３０が介装されているのである。
【００５２】
図５の実施形態において、排熱焚再生器３０で加熱された吸収溶液はラインＬ１−４を流れ、第２の分岐点ＢＰ１において、高温再生器１４へ連通するラインＬ１−５と、低温再生器１６へ連通するラインＬ１−６とに分岐する。
高温再生器１４で加熱・濃縮された吸収溶液は溶液ラインＬ３を流れ、低温再生器１６で加熱・濃縮された吸収溶液は溶液ラインＬ１−７を流れ、第２の合流点ＢＰ２で合流して、吸収器１２へ戻る。
【００５３】
図５の実施形態においても、図１、図２を参照して説明したのと同様な制御態様により、排熱ラインＬ２側の排熱が、排熱焚再生器３０及び／又は排熱熱交換器５２を介して、吸収冷温水機側へ所定の条件充足時に投入される。
図５の実施形態における所定条件充足時における排熱投入の制御態様、その他の構成及び作用効果は、図１−図４の実施形態と同様である。
【００５４】
図６の第５実施形態は、本発明を所謂「リバースフロー」タイプの吸収冷温水機に適用したものである。
図６において、吸収器１２からの稀溶液ラインＬ１は第１の分岐点ＢＰでラインＬ１−１、Ｌ１−２に分岐しており、第１の合流点ＢＰ０で合流して溶液ラインＬ１−３となり、排熱焚再生器３０に連通している。排熱焚再生器３０からの吸収溶液が流過するラインＬ１−４は低温再生器１６に連通し、低温再生器１６で加熱・再生された吸収溶液は、ラインＬ１−５を流れ、ポンプ３３でヘッドを付加されて、高温溶液熱交換器２４を経由して高温再生器１４へ連通する。
そして、高温再生器１４で加熱・濃縮された吸収溶液は、溶液ラインＬ３を流れて吸収器１２へ戻される。
【００５５】
図６の実施形態においても、図１、図２を参照して説明したのと同様な制御態様により、排熱ラインＬ２側の排熱が、排熱焚再生器３０及び／又は排熱熱交換器５２を介して、吸収冷温水機側へ所定の条件充足時に投入される。
図６の実施形態において、所定条件充足時における排熱投入の制御態様、その他の構成及び作用効果は、図１−図５の実施形態と同様である。
【００５６】
図７は本発明の第６実施形態を示しており、所謂「リバース・パラレルフロー」タイプの吸収冷温水機に適用した実施形態にかかるものである。
図７の吸収冷温水機においては、吸収器１２を出た稀溶液は稀溶液ラインＬ１を流れ、該溶液ラインＬ１は第１の分岐点ＢＰでラインＬ１−１、Ｌ１−２に分岐し、ラインＬ１−２を流れる稀溶液は排熱熱交換器５２を介して所定の条件充足時に投入される排熱により加熱される。
ラインＬ１−１、Ｌ１−２は、第１の合流点ＢＰ０で合流して溶液ラインＬ１−３となり、排熱焚再生器３０に連通する。排熱ラインＬ２−３を介して所定の条件充足時に投入される排熱により、排熱焚再生器３０で加熱された吸収溶液は、ラインＬ１−４を流過して低温再生器１６に流入する。
【００５７】
低温再生器１６で加熱・濃縮された吸収溶液は溶液ラインＬ１−５を流れ、第１の分岐点ＢＰ１で溶液ラインＬ１−６とＬ１−７とに分岐する。
溶液ラインＬ１−６を流れる吸収溶液は、ポンプ３３でヘッドが付加され、高温溶液熱交換器２４を経由して高温再生器１４へ連通する。高温再生器１４で加熱・濃縮された吸収溶液は、溶液ラインＬ３を流れる。
一方、溶液ラインＬ１−７は、第２の合流点ＢＰ２で溶液ラインＬ３と合流し、溶液ラインＬ４となり、吸収器１２へ戻される。
【００５８】
図７の実施形態においても、図１、図２で説明したのと同様な制御態様により、排熱ラインＬ２−３及び排熱焚再生器３０を介して、或いは、排熱ラインＬ２−５及び排熱熱交換器５２を介して、排熱が所定の条件充足時に吸収冷温水機へ投入されるのである。
図７の実施形態において、所定条件充足時における排熱投入に関する制御、その他の構成及び作用効果は、図１−図６の実施形態と同様である。
【００５９】
図８−図１０は、所謂「シリーズ・パラレルフロー」タイプの吸収冷温水機に本発明を適用した実施形態を示している。
【００６０】
図８は本発明の第７実施形態を示している。
吸収器１２を出た稀溶液は稀溶液ラインＬ１を流れ、該稀溶液ラインＬ１は第１の分岐点ＢＰでラインＬ１−１、Ｌ１−２に分岐する。ラインＬ１−１を流れる稀溶液は低温溶液熱交換器２２で加熱され、ラインＬ１−２を流れる稀溶液は、排熱ラインＬ２−５、排熱熱交換器５２を介して所定の条件充足時に投入される排熱により加熱される。
【００６１】
ラインＬ１−１、Ｌ１−２は第１の合流点ＢＰ０で合流し、溶液ラインＬ１−３となって排熱焚再生器３０に連通している。
排熱焚再生器３０において、排熱ラインＬ２−３を介して所定の条件充足時に投入される排熱（図１、図２の制御参照）により、吸収溶液は加熱され、一部が再生される。そして、排熱焚再生器３０で加熱された吸収溶液はラインＬ１−４を流れ、第２の分岐点ＢＰ１において、高温再生器１４へ連通するラインＬ１−５と、低温再生器１６へ連通するラインＬ１−６とに分岐する。
【００６２】
ラインＬ１−５を流れ、高温再生器１４で加熱・濃縮された吸収溶液は、溶液ラインＬ３を流れて、低温再生器１６へ流入する。そして、低温再生器１６で加熱・濃縮された吸収溶液は、溶液ラインＬ４を流れて吸収器２２へ戻る。
【００６３】
図８の実施形態においても、図１、図２を参照して説明したのと同様な制御態様により、排熱ラインＬ２側の排熱が、（排熱ラインＬ２−３及び））排熱焚再生器３０を介して、及び／或いは、（排熱ラインＬ２−５及び）排熱熱交換器５２を介して、吸収冷温水機側へ所定の条件充足時に投入される。
図８の実施形態において、所定条件充足時における排熱投入に関する制御態様、その他の構成及び作用効果については、図１−図７の実施形態と同様である。
【００６４】
図８の実施形態では、排熱焚再生器３０は、第１の合流点ＢＰ０と第２の分岐点ＢＰ１との間の（稀溶液ラインの）領域に介装されている。これに対して、図９で示す第８実施形態においては、排熱焚再生器３０は、稀溶液ラインＬ１−３の第２の分岐点ＢＰ１と低温再生器１６との間の領域に介装されている。
【００６５】
すなわち図９の実施形態において、稀溶液ラインＬ１−３（第１の合流点ＢＰ０で合流した稀溶液ライン）は第１の分岐点ＢＰ１において、高温再生器１４へ連通するラインＬ１−４と、排熱焚再生器３０へ連通するラインＬ１−５とに分岐している。
【００６６】
ラインＬ１−４を流れる吸収溶液は、高温再生器１４で加熱・濃縮された後、ラインＬ３を流れて排熱焚再生器３０に流入する。換言すれば、分岐点Ｐ１で分岐した溶液は、排熱焚再生器３０で合流している。
排熱焚再生器３０において、その内部の吸収溶液は、図１、図２で説明した様な制御態様により、排熱ラインＬ２−３を介して、所定の条件充足時に排熱を投入され、加熱され、一部再生する。
【００６７】
排熱焚再生器３０で加熱・濃縮された吸収溶液は、ラインＬ３−１を流れて低温再生器１６に流入する。そして、低温再生器１６で加熱・濃縮された溶液は、ラインＬ４を流れて吸収器２２に戻る。
【００６８】
この実施形態においても、図１、図２で説明したのと同様な制御にて、所定の条件充足時に排熱が投入される。すなわち、温度センサ５０により計測された排熱の温度レベルＴｉｎにより、排熱ラインＬ２−３及び排熱焚再生器３０を介して、或いは、排熱ラインＬ２−５及び排熱熱交換器５２を介して、排熱ラインＬ２側より吸収冷温水機側へ所定の条件充足時に排熱が投入される。
図９の実施形態において、所定条件充足時における排熱投入における制御態様、その他の構成及び作用効果は、図８の実施形態と同様である。
【００６９】
図１０の第９実施形態は、図９の実施形態と概略同様の構成を有している。
ここで、図９の実施形態においては、高温再生器１４で加熱・濃縮された吸収溶液は、ラインＬ３を通って排熱焚再生器３０に流入している。これに対して、図１０の第９実施形態によれば、高温再生器１４で加熱・濃縮された吸収溶液は、ラインＬ３を流れるが、ラインＬ３は排熱焚再生器３０に連通せずに、低温再生器１６に連通している。
換言すれば、図１０の実施形態では、ラインＬ１−４を流れて高温再生器１４で加熱・濃縮された吸収溶液と、ラインＬ１−５を介して排熱焚再生器３０で加熱されラインＬ１−６を流れる吸収溶液とは、低温再生器１６で合流する。
【００７０】
図１０の実施形態においても、図１、図２で説明したのと同様な制御が行われ、温度センサ５０により計測された排熱の温度レベルＴｉｎにより、排熱ラインＬ２−３及び排熱焚再生器３０を介して、或いは、排熱ラインＬ２−５及び排熱熱交換器５２を介して、排熱ラインＬ２側より吸収冷温水機側へ所定の条件充足時に排熱が投入される。
図１０の実施形態において、その他の構成（所定条件充足時における排熱投入に関する制御も含む）及び作用効果は、図８、図９の実施形態と同様である。
【００７１】
図１１は、本発明の第１０実施形態を示す。この実施形態は、図１の実施形態にかかる「シリーズフロー」タイプの実施形態を変形したものである。
稀溶液ラインＬ１に介装された排熱焚再生器３０において、（図１、図２を参照して説明した制御態様により）排熱ラインＬ２−３を流れる排熱が所定の条件充足時に投入されることにより、吸収溶液が一部再生された気相冷媒（水蒸気）が流れる冷媒蒸気ラインＬ１３は、第２の凝縮器５４に連通している。そして、第２の凝縮器５４で凝縮した液相冷媒は、冷媒ラインＬ５４を流れ、ラインＬ８と合流して、蒸発器２０へ供給される。
【００７２】
この第２の凝縮器５４を設けることにより、各再生器１４、１６、３０における再生効率が向上し、排熱利用効率が向上する。
また、上述した実施形態と同様に、図１１の実施形態においても、図１、図２で説明したのと同様な制御が行われ、温度センサ５０により計測された排熱の温度レベルＴｉｎにより、排熱ラインＬ２−３及び排熱焚再生器３０を介して、或いは、排熱ラインＬ２−５及び排熱熱交換器５２を介して、排熱ラインＬ２側より吸収冷温水機側へ所定の条件充足時に排熱が投入される。
【００７３】
図１１の実施形態におけるその他の構成（所定条件充足時における排熱投入に関する制御も含む）及び作用効果は、図１−図１０の実施形態と同様である。
なお、図１１は（図１の）シリーズフロータイプの吸収冷温水機に第２の凝縮器５４を設けているが、パラレルフロータイプの吸収冷温水機、リバースフロータイプの吸収冷温水機、リバース・パラレルフロータイプの吸収冷温水機、シリーズ・パラレルフロータイプの吸収冷温水機（図３−図１０の吸収冷温水機）についても、図１１と同様に第２の凝縮器５４を設けることが可能である。
【００７４】
図１−図１１の実施形態では、排熱ラインＬ２側から吸収冷温水機側への所定条件充足時における排熱投入は、排熱焚再生器３０（及び排熱ラインＬ２−３）と、（第１の）排熱熱交換器５２（及び排熱ラインＬ２−５）とを介して、行われている。
これに対して、図１２−図２２の実施形態においては、所定条件充足時における排熱投入は、排熱焚再生器３０、第１の排熱熱交換器５２に加えて、第２の排熱熱交換器５８を用いて行われている。そして後述する様に、図１２−図２２の実施形態では、排熱の温度レベルＴｉｎ（温度センサ５０で計測）に対応して、排熱を全く投入しないケース、第１の排熱熱交換器５２のみを介して排熱を投入するケース、第１の排熱熱交換器５２及び排熱焚再生器３０を介して排熱を投入するケース、第１及び第２の排熱熱交換器５２、５８と排熱焚再生器３０を介して排熱を投入するケース、とに分けて、排熱が投入される。
【００７５】
図１２は本発明の第１１実施形態を示している。この実施形態は、図１の実施形態と概略同様な構成となっており、図１の実施形態と同様に、シリーブフロータイプの吸収冷温水機にかかるものである。第２の排熱熱交換器５８が介装されている点と、排熱投入側（ラインＬ２側）に第２の排熱熱交換器５８に熱的に連通するラインＬ２−１１と、それをバイパスするラインＬ２−１２とを設けた点と、その２点に関連する構成、作用効果が相違している。
【００７６】
図１２において、吸収器１２からの稀溶液ラインＬ１は第１の分岐点ＢＰでラインＬ１−１とラインＬ１−２（第１の排熱熱交換器５２が介装されているライン）とに分岐して、第１の合流点ＢＰ０で合流してラインＬ１−３となり、排熱焚再生器３０に連通する。そして、排熱焚再生器３０を出たラインＬ１−４は、第３の分岐点ＢＰ３でラインＬ１−５とラインＬ１−６とに分岐する。
ラインＬ１−５には高温溶液熱交換器２４が介装されており、高温再生器１４で加熱・濃縮された吸収溶液が保有する熱量が投入される。一方、ラインＬ１−６には第２の排熱熱交換器５８が介装されており、後述する様な制御態様により、排熱ラインＬ２側から排熱が所定の条件充足時に投入される。
ラインＬ１−５、Ｌ１−６は第３の合流点ＢＰ４で合流してラインＬ１−７となり高温再生器１４に連通している。
【００７７】
図１２の実施形態の排熱投入系（ラインＬ２側）において、排熱ラインＬ２には、排熱を吸収冷温水機１０に投入する以前の排熱保有流体の温度（排熱温度）Ｔｉｎを計測するための温度センサ５０が介装されていると共に、第１の三方弁ＶＰが介装されており、第１の三方弁ＶＰにおいて、排熱ラインＬ２はラインＬ２−１、Ｌ２−２に分岐している。排熱ラインＬ２−１は、吸収冷温水機１０に対して排熱を投入する排熱投入側に接続するラインである。一方、排熱ラインＬ２−２は、排熱投入側をバイパスするバイパスラインである。
【００７８】
排熱ラインＬ２−１には第３の三方弁Ｖ２が介装されており、第２の排熱熱交換器５８と熱的に連通する排熱ラインＬ２−１１と、第２の排熱熱交換器５８をバイパスするバイパスラインＬ２−１２とに分岐している。そして、排熱ラインＬ２−１１を流れる流体が保有する排熱は、吸収冷温水機の吸収溶液ラインＬ１−６を流れる吸収溶液に、第２の排熱熱交換器５８を介して投入される。
ラインＬ２−１１、Ｌ２−１２は合流してラインＬ２−１３となり、吸収冷温水機１０の排熱焚再生器３０に排熱を投入する排熱ラインＬ２−３と、排熱焚再生器３０をバイパスするバイパスラインＬ２−４とに分岐しており、分岐点には第２の三方弁Ｖ１が介装されている。
【００７９】
排熱ラインＬ２−３とバイパスラインＬ２−４とは合流して排熱ラインＬ２−５となり、ラインＬ２−５には第１の排熱熱交換器５２が介装されており、排熱ラインＬ２−５を流れる流体が保有する排熱は、第１の排熱熱交換器５２を介して、稀溶液ラインＬ１−２を流れる稀溶液に投入される。
排熱ラインＬ２−５は、排熱ラインの合流点ＢＰＧにおいて上述したバイパスラインＬ２−２と合流して排熱ラインＬ２となり、図示しない排熱源ヘ戻る。
【００８０】
図１、図２の実施形態に関して説明したのと同様に、図１２の第１１実施形態においては、温度センサ５０の検出信号は、図示しない信号伝達ラインを介して図示しない制御手段に送出される。そして図示しない制御手段は、三方弁ＶＰ、Ｖ１、Ｖ２（第１、第２、第３の三方弁）に対して、図１３を参照して後述する制御態様に従って、図示しない信号伝達ラインを介して制御信号を出力する。
そして、制御手段についてはコントロールユニットを用いて自動制御とすることが好ましいが、オペレータによるマニュアル制御であっても良い。
その他の構成については、図１の実施形態と同様である。
【００８１】
図１２の第１１実施形態の排熱投入系における制御について、図１３をも参照して説明する。
【００８２】
先ず、温度センサ５０により、排熱ラインＬ２を流れる流体の（排熱投入以前の段階における）温度Ｔｉｎを計測する（ステップＳ１１）。
そして、計測された温度Ｔｉｎと、予め設定されていた設定低温ＴＶＬ、第１設定高温ＴＶ１、第２設定高温ＴＶ２と比較する（ステップＳ１２）。ここで、第２設定高温ＴＶ２は、第１設定高温ＴＶ１よりも高温に設定されているものとする（ＴＶ２＞ＴＶ１）。
【００８３】
温度Ｔｉｎが設定低温ＴＶＬよりも低い場合には（ステップＳ１２でＴｉｎ＜ＴＶＬの場合）、排熱温度が稀溶液ラインＬ１−２を流れる稀溶液液温よりも低温であることを意味している。
この場合には、三方弁ＶＰをバイパスラインＬ２−２側へ開いて、排熱保有流体を排熱投入系（ラインＬ２−１、第２の排熱熱交換器５８、排熱焚再生器３０、第１の排熱熱交換器５２）に対してバイパスさせる（ステップＳ１３）。ラインＬ２−１１（或いは第２の排熱熱交換器５８）、Ｌ２−３（或いは排熱焚再生器３０）、ラインＬ２−５（或いは第１の排熱熱交換器５２）を介して、吸収冷温水機側から排熱ラインＬ２側への熱が逆流するのを防止するためである。
【００８４】
ステップＳ１２において、温度Ｔｉｎが設定低温ＴＶＬよりも高いが、第１設定高温ＴＶ１よりも低い（ステップＳ１２でＴＶＬ≦Ｔｉｎ＜ＴＶ１の場合）ということは、排熱の温度レベルＴｉｎは、温度レベルが高い領域に介装された第２の排熱熱交換器５８と、温度レベルが比較的高い排熱焚再生器３０とからは、熱が逆流する可能性があるが、温度レベルが低い第１の排熱熱交換器５２においては熱の逆流が生じないことを意味している。
従って、排熱が、吸収冷温水機側からの熱の逆流の可能性がある第２の排熱熱交換器５８及び排熱焚再生器３０をバイパスして、熱の逆流しない第１の排熱熱交換器５２だけを流れる様に、三方弁ＶＰ、Ｖ２、Ｖ１を開閉する。すなわち、第１の三方弁ＶＰを排熱ラインＬ２−１側へ開き、第３の三方弁Ｖ２をバイパスラインＬ２−１２側へ開き、第２の三方弁Ｖ１をバイパスラインＬ２−４側へ開くのである（ステップＳ１４）。
【００８５】
ステップＳ１２において、温度Ｔｉｎが第１設定高温ＴＶ１よりも高いが、第２設定高温ＴＶ２よりも低い（ステップＳ１２でＴＶ１≦Ｔｉｎ＜ＴＶ２の場合）ということは、排熱の温度レベルＴｉｎは、温度レベルが高い領域に介装された第２の排熱熱交換器５８からは熱が逆流する可能性があるが、排熱焚再生器３０及び第１の排熱熱交換器５２では熱の逆流が生じないことを意味している。
従って、排熱が、吸収冷温水機側からの熱の逆流の可能性がある第２の排熱熱交換器５８をバイパスして、熱の逆流しない排熱焚再生器３０及び第１の排熱熱交換器５２を流れる様に、三方弁ＶＰ、Ｖ２、Ｖ１を開閉する。すなわち、第１の三方弁ＶＰを排熱ラインＬ２−１側へ開き、第３の三方弁Ｖ２をバイパスラインＬ２−１２側へ開き、第２の三方弁Ｖ１を排熱ラインＬ２−３（排熱焚再生器３０）側へ開くのである（ステップＳ１５）。
【００８６】
ステップＳ１２において、排熱温度Ｔｉｎが第２設定高温ＴＶ２よりも高温である場合には（ＴＶ１≦Ｔｉｎ）、排熱の温度レベルＴｉｎは溶液ラインＬ１−６内の吸収溶液温度よりも高温であり、第２の排熱熱交換器５８、排熱焚再生器３０、第１の排熱熱交換器５２のいずれにおいても、吸収冷温水機側から排熱ラインＬ２側へ熱が逆流することは無く、吸収冷温水機１０に対して適正な排熱投入が行われることを意味している。
従って、第１の三方弁ＶＰは排熱ラインＬ２−１側（排熱投入側）へ開き、第３の三方弁Ｖ２は排熱ラインＬ２−１１側（第２の排熱熱交換器５８側）へ開き、第２の三方弁Ｖ１は排熱ラインＬ２−３側（排熱焚再生器３０側）へ開く（ステップＳ１６）。
そして、第２の排熱熱交換器５８、排熱焚再生器３０、排熱熱交換器５２を介して、排熱が吸収冷温水機に投入される。
【００８７】
ステップＳ１３、Ｓ１４、Ｓ１５、Ｓ１６のいずれかの制御を行った後に、制御を終了するか否かを判断し（ステップＳ１７）、制御を続行するのであれば、ステップＳ１１に戻る（ステップＳ１７がＮｏのループ）。
【００８８】
図１３をも参照して説明したこの制御態様であれば、図１、図２で説明した通り、従来は排熱として利用することが出来なかった様な温度レベル（例えば、稀溶液ラインＬ１−２を流れる溶液液温よりは高いが、排熱焚再生器３０内の溶液温度よりも低い温度レベル：５０℃）の排熱も、液温が比較的低い稀溶液に投入して、有効利用することが出来る。
また排熱が比較的高温の段階では、溶液ラインＬ１−６、排熱焚再生器３０、稀溶液ラインＬ１−２のそれぞれの温度レベルで利用することが出来るので、排熱のより精緻なカスケード利用を達成しており、排熱の利用効率を更に高めているのである。
しかも、吸収冷温水機側から排熱側へ熱の逆流が生じることも、完全に防止している。
【００８９】
図１２、図１３の実施形態における上述した以外の構成及び作用効果（排熱投入に関する制御の態様及びその作用効果を含む）については、図１、図２の実施形態と同様である。
【００９０】
図１４は本発明の第１２実施形態を示している。
図１４の実施形態は、図３の実施形態と概略同様の構成を具備しており、シリーズフロータイプの吸収冷温水機にかかるものである。図１４の実施形態は、図４における溶液ラインＬ１−３を第３の分岐点ＢＰ３でラインＬ１−４とＬ１−５とに分岐して、ラインＬ１−５に第２の排熱熱交換器５８を介装したものである。
なお、ラインＬ１−４、Ｌ１−５は第３の合流点ＢＰ４で合流し、ライン１−６として高温再生器１４に連通している。
【００９１】
図１４の実施形態における排熱投入に関する制御の態様及びその作用効果は、図１２、図１３で説明したのと同様であり、全体の構成及び作用効果については、上述した以外は図３の実施形態と同様である。
【００９２】
図１５は本発明の第１３実施形態を示しており、パラレルフロータイプの吸収冷温水機にかかるものである。
図１５の実施形態は、図４の実施形態における溶液ラインＬ１−４を第３の分岐点ＢＰ３でラインＬ１−４１とＬ１−４２とに分岐して、ラインＬ１−４２に第２の排熱熱交換器５８を介装したものである。
なお、ラインＬ１−４１、Ｌ１−４２は第３の合流点ＢＰ４で合流し、ラインＬ１−４３として高温再生器１４に連通している。
【００９３】
図１５の実施形態における排熱投入に関する制御の態様及びその作用効果は、図１２、図１３で説明したのと同様である。吸収冷温水機全体の構成及び作用効果については、上述した点を除き、図４の実施形態と同様である。
【００９４】
図１６は本発明の第１４実施形態を示しており、パラレルフロータイプの吸収冷温水機にかかるものである。
図１６の実施形態は、図５の実施形態における溶液ラインＬ１−４が、第３の分岐点ＢＰ３において、低温再生器１６側へ連通するラインＬ１−６１と、高温再生器１４側へ連通するラインＬ１−６２とに分岐している。
ラインＬ１−６１は、第２の分岐点ＢＰ１で更に分岐しており、高温再生器１４側へ連通するラインＬ１−７１（図５のラインＬ１−５に相当）と、低温再生器１６側へ連通するラインＬ１−７２（図５のラインＬ１−６に相当）とに分かれている。
そして、ラインＬ１−６２に第２の排熱熱交換器５８が介装されている。
なお、ラインＬ１−６２、Ｌ１−７１は第３の合流点ＢＰ４で合流し、ラインＬ１−８（図５のラインＬ１−５に相当）として、高温再生器１４に連通している。
【００９５】
図１６の実施形態における排熱投入に関する制御の態様及びその作用効果は、図１２、図１３で説明したのと同様である。吸収冷温水機全体の構成及び作用効果については、上述した点を除き、図５の実施形態と同様である。
【００９６】
図１７は本発明の第１５実施形態を示している。
図１７の実施形態は、図６の実施形態と同様にリバースフロータイプの吸収冷温水機にかかるものである。図１７では、図６の実施形態における溶液ラインＬ１−５を、第３の分岐点ＢＰ３でラインＬ１−５１とＬ１−５２とに分岐して、ラインＬ１−５２に第２の排熱熱交換器５８を介装したものである。
なお、ラインＬ１−５１、Ｌ１−５２は第３の合流点ＢＰ４で合流し、ラインＬ１−６として高温再生器１４に連通している。
【００９７】
図１７の実施形態における排熱投入に関する制御の態様及びその作用効果は、図１２、図１３で説明したのと同様である。吸収冷温水機全体の構成及び作用効果については、上述した点を除き、図６の実施形態と同様である。
【００９８】
図１８は本発明の第１６実施形態を示している。
図１８の実施形態は、図７の実施形態と同様にリバース・パラレルフロータイプの吸収冷温水機にかかるものである。図１８では、図７の実施形態における溶液ラインＬ１−６を、第３の分岐点ＢＰ３でラインＬ１−６１とＬ１−６２とに分岐して、ラインＬ１−６２に第２の排熱熱交換器５８を介装している。
なお、ラインＬ１−６１、Ｌ１−６２は第３の合流点ＢＰ４で合流し、ラインＬ１−６３として高温再生器１４に連通している。
【００９９】
図１８の実施形態における排熱投入に関する制御の態様及びその作用効果は、図１２、図１３で説明したのと同様である。吸収冷温水機全体の構成及び作用効果については、上述した点を除き、図７の実施形態と同様である。
【０１００】
図１９は本発明の第１７実施形態を示しており、シリーズ・パラレルフロータイプの吸収冷温水機にかかるものである。
図１９の実施形態は、図８の実施形態における溶液ラインＬ１−４が、第３の分岐点ＢＰ３において、低温再生器１６側へ連通するラインＬ１−４１と、高温再生器１４側へ連通するラインＬ１−４２とに分岐している。
ラインＬ１−４１は、第２の分岐点ＢＰ１で更に分岐しており、高温再生器１４側へ連通するラインＬ１−４１１（図８のラインＬ１−５に相当）と、低温再生器１６側へ連通するラインＬ１−４１２（図８のラインＬ１−６に相当）とに分かれている。
そして、ラインＬ１−４２に第２の排熱熱交換器５８が介装されている。
なお、ラインＬ１−４２、Ｌ１−４１１は第３の合流点ＢＰ４で合流し、ラインＬ１−４３（図５のラインＬ１−５に相当）として、高温再生器１４に連通している。
【０１０１】
図１９の実施形態における排熱投入に関する制御の態様及びその作用効果は、図１２、図１３で説明したのと同様である。吸収冷温水機全体の構成及び作用効果については、上述した点を除き、図８の実施形態と同様である。
【０１０２】
図２０は本発明の第１８実施形態を示しており、シリーズ・パラレルフロータイプの吸収冷温水機にかかるものである。
図２０の実施形態は、図９の実施形態における溶液ラインＬ１−４を、第３の分岐点ＢＰ３でラインＬ１−４１とＬ１−４２とに分岐して、ラインＬ１−４１に第２の排熱熱交換器５８を介装している。
なお、ラインＬ１−４１、Ｌ１−４２は第３の合流点ＢＰ４で合流し、ラインＬ１−４３として高温再生器１４に連通している。
【０１０３】
図２０の実施形態における排熱投入に関する制御の態様及びその作用効果は、図１２、図１３で説明したのと同様である。吸収冷温水機全体の構成及び作用効果については、上述した点を除き、図９の実施形態と同様である。
【０１０４】
図２１は本発明の第１９実施形態を示しており、シリーズ・パラレルフロータイプの吸収冷温水機にかかるものである。
図２１の実施形態は、図１０の実施形態における溶液ラインＬ１−４を、第３の分岐点ＢＰ３でラインＬ１−４１とＬ１−４２とに分岐して、ラインＬ１−４１に第２の排熱熱交換器５８を介装している。
なお、ラインＬ１−４１、Ｌ１−４２は第３の合流点ＢＰ４で合流し、ラインＬ１−４３として高温再生器１４に連通している。
【０１０５】
図２１の実施形態における排熱投入に関する制御の態様及びその作用効果は、図１２、図１３で説明したのと同様である。吸収冷温水機全体の構成及び作用効果については、上述した点を除き、図１０の実施形態と同様である。
【０１０６】
図２２は本発明の第２０実施形態を示しており、シリーズフロータイプの吸収冷温水機であって、凝縮器を２個設けたものである。
図２２の実施形態は、図１１の実施形態における溶液ラインＬ１−３を、第３の分岐点ＢＰ３でラインＬ１−３１とＬ１−３２とに分岐して、ラインＬ１−３１に第２の排熱熱交換器５８を介装している。
なお、ラインＬ１−３１、Ｌ１−３２は第３の合流点ＢＰ４で合流し、ラインＬ１−３３として高温再生器１４に連通している。
【０１０７】
図２２の実施形態における排熱投入に関する制御の態様及びその作用効果は、図１２、図１３で説明したのと同様である。吸収冷温水機全体の構成及び作用効果については、上述した点を除き、図１１の実施形態と同様である。
なお、図２２は（図１２の）シリーズフロータイプの吸収冷温水機に第２の凝縮器５４を設けているが、パラレルフロータイプの吸収冷温水機、リバースフロータイプの吸収冷温水機、リバース・パラレルフロータイプの吸収冷温水機、シリーズ・パラレルフロータイプの吸収冷温水機（図１３−図２１の吸収冷温水機）についても、図２２と同様に第２の凝縮器５４を設けることが可能である。
【０１０８】
図１−図２２の実施形態では、計測されるのは排熱温度（より詳細には投入される以前の排熱温度）Ｔｉｎのみであり、制御に際しては、測定値であるＴｉｎと、予め設定（或いは決定）されていた設定温度（ＴＶＬ、ＴＶ１、ＴＶ２）とを比較して、制御を行っている。
これに対して図２３−図２８の実施形態では、溶液ラインを流れる吸収溶液の液温を実測して、制御を行っている。
【０１０９】
図２３は本発明の第２１実施形態にかかるものであり、図１のシリーズフロータイプの吸収冷温水機にかかる実施形態と同様の構成を具備している。
しかし、図２３の実施形態においては、稀溶液ラインＬ１−２の、第１の排熱熱交換器５２よりも再生器１２側の領域（上流側）に第１の溶液温度センサ１５６を介装しており、温度センサ１５６は、当該領域（稀溶液ラインＬ１−２の、第１の排熱熱交換器５２よりも再生器１２側の領域）を流れる稀溶液の液温を測定している。
また、排熱焚再生器３０から高温溶液熱交換器２４を介して高温再生器１４に連通する吸収溶液ラインＬ１−４には、第２の溶液温度センサ１５８が介装されており、排熱焚再生器３０で加熱・一部再生された吸収溶液の液温を測定している。
【０１１０】
温度センサ５０、１５６、１５８（排熱用の温度センサ、第１の溶液温度センサ、第２の溶液温度センサ）の検出信号は、図示しない信号伝達ラインを介して図示しない制御手段（コントロールユニット或いはオペレータ）に送出する。
そして、図示しない制御手段は図２４を参照して後述する様な態様にて制御を行い、所定の制御信号を図示しない信号伝達ラインを介して三方弁ＶＰ、Ｖ１（第１及び第２の三方弁）に送出するのである。
【０１１１】
その他の構成については、図１の実施形態と概略同様である。
【０１１２】
次に、図２４をも参照して、図２３の実施形態の制御について説明する。
先ず、温度センサ５０、１５６、１５８により、排熱ラインＬ２を流れる流体の（排熱投入以前の段階における）排熱温度Ｔｉｎと、溶液ラインＬ１−２の第１の排熱熱交換器５２よりも上流の領域を流れる稀溶液の液温ＴＬ１と、溶液ラインＬ１−４を流れる溶液の液温ＴＬ２とを、それぞれ計測する（図２４のステップＳ２１）。
【０１１３】
そして、計測された排熱温度Ｔｉｎと、溶液ラインＬ１−２の第１の排熱熱交換器５２よりも上流の領域を流れる稀溶液の液温ＴＬ１とを比較する（ステップＳ２２）。
排熱温度の方が稀溶液の液温ＴＬ１よりも低温である場合は（Ｔｉｎ＜ＴＬ１：ステップＳ２２がＮｏ）、排熱ラインＬ２を流れる排熱を投入すると、吸収冷温水機から熱が逆流してしまう。従って、第１の三方弁ＶＰをバイパスラインＬ２−２側に開き、排熱が排熱焚再生器３０、排熱熱交換器５２を逆流する様にせしめる（ステップＳ２３）。
【０１１４】
温度Ｔｉｎが稀溶液の液温ＴＬ１よりも高い場合には（ステップＳ２２がＹｅｓ）、排熱温度Ｔｉｎと、吸収溶液ラインＬ１−４を流れる吸収溶液の液温ＴＬ２とを比較する（ステップＳ２４）。
【０１１５】
排熱温度Ｔｉｎが、吸収溶液ラインＬ１−４を流れる吸収溶液の液温ＴＬ２よりも低い場合には（ＴＬ１≦Ｔｉｎ≦ＴＬ２：ステップＳ２４がＮｏ）、排熱温度は稀溶液ラインＬ１−２を流れる溶液液温よりは高いが、排熱焚再生器３０内の溶液温度よりも低いことを意味する。
換言すれば、排熱がこの温度レベルである場合においては、第１の排熱熱交換器５２を介して排熱ラインＬ２−５を流れる排熱保有流体が保有する排熱がラインＬ１−２の稀溶液に投入され、稀溶液ライン側から排熱Ｌ２側に熱が逆流することはない。しかし、排熱流体が排熱ラインＬ２−３を流れた場合には、排熱焚再生器３０において、吸収冷温水機側から排熱ラインＬ２側へ熱が逆流してしまう。
従って、三方弁ＶＰは排熱ラインＬ２−１側（排熱投入側）に開くが、三方弁Ｖ１は排熱ラインＬ２−４側（排熱焚再生器３０バイパス側）に開き、排熱保有流体は排熱焚再生器３０をバイパスする（Ｓ２５）。
そして、排熱は排熱ラインＬ２−５を流れ、排熱熱交換器５２を介して稀溶液ラインＬ１−２側へ排熱を投入する。（Ｓ２７）
【０１１６】
ステップＳ２４において、排熱温度Ｔｉｎが吸収溶液ラインＬ１−４を流れる吸収溶液の液温ＴＬ２よりも高温である場合には（ＴＬ２＜Ｔｉｎ：ステップＳ２４がＹｅｓ）、排熱の温度レベルは排熱焚再生器３０内よりも高温であり、排熱焚再生器３０、排熱熱交換器５２のいずれにおいても、吸収冷温水機側から排熱ラインＬ２側へ熱が逆流することは無く、吸収冷温水機１０に対して適正な排熱投入が行われることを意味している。
従って、三方弁ＶＰは排熱ラインＬ２−１側（排熱投入側）へ開き、三方弁Ｖ１は排熱ラインＬ２−３側（排熱焚再生器３０連通側）へ開く（ステップＳ２６）。そして、ラインＬ２−３及び排熱焚再生器３０を介して、排熱が吸収冷温水機１０を循環する吸収溶液に投入される。
そして排熱焚再生器３０に排熱を投入した後、排熱（保有流体）は排熱ラインＬ２−５を流れ、第１の排熱熱交換器を介して、稀溶液ラインＬ１−２の稀溶液に排熱が投入される（ステップＳ２７）。
【０１１７】
ステップＳ２３、Ｓ２５、Ｓ２６、Ｓ２７の制御を行った後に、制御を終了するか否かを判断し（ステップＳ２８）、制御を続行するのであれば、ステップＳ１に戻る（ステップＳ２８がＮｏのループ）。
【０１１８】
図２４をも参照して説明したこの制御態様であれば、図１、図２で説明した通り、従来は排熱として利用することが出来なかった様な温度レベル（例えば、稀溶液ラインＬ１−２を流れる溶液液温よりは高いが、排熱焚再生器３０内の溶液温度よりも低い温度レベル：５０℃）の排熱も、液温が比較的低い稀溶液に投入して、有効利用することが出来る。
また排熱温度、溶液の液温の双方が測定されるので、実測値に基いた高精度な制御が実現される。そして、吸収冷温水機側から排熱側へ熱の逆流が生じることも、完全に防止される。
【０１１９】
図２３、図２４の実施形態における上述した以外の構成及び作用効果（排熱投入に関する制御の態様及びその作用効果を含む）については、図１、図２の実施形態と同様である。
なお、図２３は（図１の）シリーズフロータイプの吸収冷温水機の液温を実測して制御を行っているが、パラレルフロータイプの吸収冷温水機、リバースフロータイプの吸収冷温水機、リバース・パラレルフロータイプの吸収冷温水機、シリーズ・パラレルフロータイプの吸収冷温水機（図１−図１１の吸収冷温水機）についても、図２３と同様に液温を検出する温度センサ１５６、１５８を設けて、図２４で説明した様な制御を行うことが可能である。
【０１２０】
図２５は本発明の第２２実施形態にかかるシリーズフロータイプの吸収冷温水機を示している。この実施形態は、図１２の実施形態と概略同様な構成となっている。
しかし、図２５の実施形態においては、稀溶液ラインＬ１−２の、第１の排熱熱交換器５２よりも再生器１２側の領域（上流側）に第１の溶液温度センサ１５６を介装しており、温度センサ１５６は、当該領域（稀溶液ラインＬ１−２の、第１の排熱熱交換器５２よりも再生器１２側の領域）を流れる稀溶液の液温を測定している。
また、排熱焚再生器３０から高温溶液熱交換器２４を介して高温再生器１４に連通する吸収溶液ラインＬ１−４には、第２の溶液温度センサ１５８が介装されており、排熱焚再生器３０で加熱・一部再生された吸収溶液の液温を測定している。
なお、この実施形態においては、排熱焚再生器３０で加熱・一部再生された吸収溶液の液温は、第２の排熱熱交換器５８が介装された溶液ラインＬ１−６の溶液液温と等しい。
【０１２１】
図２５の実施形態においても、温度センサ５０、１５６、１５８（排熱用の温度センサ、第１の溶液温度センサ、第２の溶液温度センサ）の検出信号は、図示しない信号伝達ラインを介して図示しない制御手段（コントロールユニット或いはオペレータ）に送出する。
そして、図示しない制御手段は図２６を参照して後述する様な態様にて制御を行い、所定の制御信号を図示しない信号伝達ラインを介して三方弁ＶＰ、Ｖ１、Ｖ２（第１、第２、第３の三方弁）に送出するのである。
【０１２２】
その他の構成については、図１２の実施形態と概略同様である。
【０１２３】
図２５の実施形態の排熱投入系における制御について、図２６をも参照して説明する。
【０１２４】
先ず、温度センサ５０、１５６、１５８により、排熱ラインＬ２を流れる流体の（排熱投入以前の段階における）排熱温度Ｔｉｎと、溶液ラインＬ１−２の第１の排熱熱交換器５２よりも上流の領域を流れる稀溶液の液温ＴＬ１と、溶液ラインＬ１−４を流れる溶液の液温ＴＬ２（溶液ラインＬ１−６の、第２の排熱熱交換器５８よりも排熱焚再生器３０側の領域を流れる溶液温度に等しい）とを、それぞれ計測する（図２６のステップＳ３１）。
【０１２５】
そして、計測された排熱温度Ｔｉｎと、溶液ラインＬ１−２の第１の排熱熱交換器５２よりも上流の領域を流れる稀溶液の液温ＴＬ１とを比較する（ステップＳ３２）。
【０１２６】
温度Ｔｉｎが設定低温ＴＶＬよりも低い場合には（ステップＳ３２でＴＬ１＞Ｔｉｎの場合）、排熱温度が稀溶液ラインＬ１−２を流れる稀溶液液温よりも低温であることを意味している。
この場合には、三方弁ＶＰをバイパスラインＬ２−２側へ開いて、排熱保有流体を排熱投入系（ラインＬ２−１、第２の排熱熱交換器５８、排熱焚再生器３０、第１の排熱熱交換器５２）に対してバイパスさせる（ステップＳ３３）。ラインＬ２−１１（或いは第２の排熱熱交換器５８）、Ｌ２−３（或いは排熱焚再生器３０）、ラインＬ２−５（或いは第１の排熱熱交換器５２）を介して、吸収冷温水機側から排熱ラインＬ２側への熱が逆流するのを防止するためである。
【０１２７】
ステップＳ３２において、温度Ｔｉｎが稀溶液液温ＴＬ１よりも高いが、溶液ラインＬ１−４を流れる溶液の液温ＴＬ２（排熱焚再生器３０を出た吸収溶液の液温：溶液ラインＬ１−６の、第２の排熱熱交換器５８よりも排熱焚再生器３０側の領域を流れる溶液温度に等しい）よりも低いということは（ステップＳ３２でＴＬ１≦Ｔｉｎ≦ＴＬ２の場合）、排熱の温度レベルＴｉｎは、温度レベルが高い領域に介装された第２の排熱熱交換器５８或いは排熱焚再生器３０とからは、熱が逆流する可能性があるが、温度レベルが低い第１の排熱熱交換器５２においては熱の逆流が生じないことを意味している。
従って、排熱が、吸収冷温水機側からの熱の逆流の可能性がある第２の排熱熱交換器５８及び排熱焚再生器３０をバイパスして、熱の逆流しない第１の排熱熱交換器５２だけを流れる様に、三方弁ＶＰ、Ｖ２、Ｖ１を開閉する。すなわち、第１の三方弁ＶＰを排熱ラインＬ２−１側へ開き、第３の三方弁Ｖ２をバイパスラインＬ２−１２側へ開き、第２の三方弁Ｖ１をバイパスラインＬ２−４側へ開くのである（ステップＳ３４）。
【０１２８】
ステップＳ３２において、排熱温度Ｔｉｎが溶液ラインＬ１−４を流れる溶液の液温ＴＬ２（排熱焚再生器３０を出た吸収溶液の液温：溶液ラインＬ１−６の、第２の排熱熱交換器５８よりも排熱焚再生器３０側の領域を流れる溶液温度に等しい）よりも高温である場合には（ＴＬ２＜Ｔｉｎ）、排熱の温度レベルＴｉｎは溶液ラインＬ１−６内の吸収溶液温度及び排熱焚再生器３０で加熱された吸収溶液（溶液ラインＬ１−４を流れる吸収溶液）の液温よりも高温であり、第２の排熱熱交換器５８、排熱焚再生器３０、第１の排熱熱交換器５２のいずれにおいても、吸収冷温水機側から排熱ラインＬ２側へ熱が逆流することは無く、吸収冷温水機１０に対して適正な排熱投入が行われることを意味している。
従って、第１の三方弁ＶＰは排熱ラインＬ２−１側（排熱投入側）へ開き、第３の三方弁Ｖ２は排熱ラインＬ２−１１側（第２の排熱熱交換器５８側）へ開き、第２の三方弁Ｖ１は排熱ラインＬ２−３側（排熱焚再生器３０側）へ開く（ステップＳ３５）。
そして、第２の排熱熱交換器５８、排熱焚再生器３０、排熱熱交換器５２を介して、排熱が吸収冷温水機に投入される。
【０１２９】
ステップＳ３３、Ｓ３４、Ｓ３５のいずれかの制御を行った後に、制御を終了するか否かを判断し（ステップＳ３６）、制御を続行するのであれば、ステップＳ３１に戻る（ステップＳ３６がＮｏのループ）。
【０１３０】
図２６をも参照して説明したこの制御態様であれば、図１２、図１３で説明したのと同様に、従来は排熱として利用することが出来なかった様な温度レベルの排熱も、液温が比較的低い稀溶液に投入して、有効利用することが出来る。また、排熱のより精緻なカスケード利用を達成して、排熱の利用効率を更に高めることが出来る。しかも、吸収冷温水機側から排熱側へ熱の逆流が生じることも、完全に防止している。
それに加えて、排熱温度、溶液の液温の双方が測定されるので、実測値に基いた高精度な制御が実現される。
【０１３１】
図２５、図２６の実施形態における上述した以外の構成及び作用効果（排熱投入に関する制御の態様及びその作用効果を含む）については、図１２、図１３の実施形態と同様である。
なお、図２６は（図１２の）シリーズフロータイプの吸収冷温水機の液温を実測して制御を行っているが、その他のタイプの吸収冷温水機についても、上述したのと同様な制御を行うことが可能である。
【０１３２】
図２５、図２６の実施形態では、排熱焚再生器３０で加熱・一部再生された吸収溶液の液温は、第２の排熱熱交換器５８が介装された溶液ラインＬ１−６の溶液液温と等しい。
これに対して、図２７の第２３実施形態では、排熱焚再生器３０で加熱・一部再生された吸収溶液の液温ＴＬ２（第２の溶液温度センサ１５８で測定される温度）と、第２の排熱熱交換器５８が介装された溶液ラインＬ１−６における溶液液温ＴＬ３（第２の排熱熱交換器５８よりも上流側の液温：第３の溶液温度センサ１６６で測定される温度）とが異なる場合において、溶液温度を実測して制御するものである。
【０１３３】
図２７の実施形態は、図１４の実施形態と概略同様である。
しかし、図２７では、稀溶液ラインＬ１−２の、第１の排熱熱交換器５２よりも再生器１２側の領域（上流側）に第１の溶液温度センサ１５６を介装しており、第１の溶液温度センサ１５６は、当該領域（稀溶液ラインＬ１−２の、第１の排熱熱交換器５２よりも再生器１２側の領域）を流れる稀溶液の液温ＴＬ１を測定している。
また、排熱焚再生器３０から低温再生器１６に連通する吸収溶液ラインＬ３−２には、第２の溶液温度センサ１５８が介装されており、排熱焚再生器３０で加熱・一部再生された吸収溶液の液温ＴＬ２を測定している。
さらに、稀溶液ラインＬ１−５には第２の排熱熱交換器５８が介装されており、第２の排熱熱交換器５８よりも吸収器１２側（上流側）の領域には、第３の溶液温度センサ１６６が介装されており、稀溶液ラインＬ１−５の第２の排熱熱交換器５８上流側の領域を流れる吸収溶液の液温ＴＬ３を計測している。
【０１３４】
さらに図２７の排熱側では、排熱ラインＬ２−１３に第４の排熱用温度センサ１６８が介装されており、排熱ラインＬ２−１３を流れる排熱流体の温度ＴＬ４（排熱温度）を測定している。
【０１３５】
図２７の実施形態においても、温度センサ５０、１５６、１５８、１６６（第１の排熱用温度センサ、第１の溶液温度センサ、第２の溶液温度センサ、第３の溶液温度センサ、第２の排熱用温度センサ）の検出信号は、図示しない信号伝達ラインを介して図示しない制御手段（コントロールユニット或いはオペレータ）に送出する。
そして、図示しない制御手段は図２８を参照して後述する様な態様にて制御を行い、所定の制御信号を図示しない信号伝達ラインを介して三方弁ＶＰ、Ｖ１、Ｖ２（第１、第２、第３の三方弁）に送出するのである。
【０１３６】
その他の構成については、図１４の実施形態と概略同様である。
【０１３７】
図２７の実施形態の排熱投入系における制御について、図２８をも参照して説明する。
先ず、温度センサ５０、１５６、１５８、１６６、１６８により、排熱ラインＬ２を流れる流体の（排熱投入以前の段階における）温度Ｔｉｎ、溶液ラインＬ１−２を流れる稀溶液液温ＴＬ１、溶液ラインＬ３−２を流れる吸収溶液液温ＴＬ２、溶液ラインＬ１−５を流れる吸収溶液液温ＴＬ３、排熱ラインＬ２−１３を流れる排熱温度ＴＬ４を、それぞれ計測する（ステップＳ４１）。
【０１３８】
次に、排熱温度Ｔｉｎと稀溶液液温ＴＬ１を比較する（ステップＳ４２）。
稀溶液ラインＬ１−２における第１の排熱熱交換器５２よりも再生器１２側の領域を流れる稀溶液の液温ＴＬ１よりも、温度Ｔｉｎが低い場合には（Ｔｉｎ＜ＴＬ１：ステップＳ４２がＮｏ）、排熱温度が稀溶液ラインＬ１−２を流れる稀溶液液温よりも低温であることを意味している。
この場合には、三方弁ＶＰをバイパスラインＬ２−２側へ開いて、排熱保有流体を排熱投入系（ラインＬ２−１、第２の排熱熱交換器５８、排熱焚再生器３０、第１の排熱熱交換器５２）に対してバイパスさせる（ステップＳ４３）。ラインＬ２−１１（或いは第２の排熱熱交換器５８）、Ｌ２−３（或いは排熱焚再生器３０）、ラインＬ２−５（或いは第１の排熱熱交換器５２）を介して、吸収冷温水機側から排熱ラインＬ２側への熱が逆流するのを防止するためである。
【０１３９】
ステップＳ４２で排熱温度Ｔｉｎが稀溶液温度ＴＬ１よりも高温である場合には、少なくとも第１の排熱熱交換器５２では熱の逆流が生じないことを意味している。
従って、第１の三方弁ＶＰを排熱ラインＬ２−１側へ開き、ステップＳ４４に行く。そして、ステップ４４において、排熱温度Ｔｉｎと、第２の排熱熱交換器５８が介装された稀溶液ラインＬ１−６の稀溶液温度ＴＬ３とを比較する。
【０１４０】
排熱温度Ｔｉｎが稀溶液温度ＴＬ３よりも低温である場合（ＴＬ３＞Ｔｉｎ：ステップＳ４４がＮｏ）、第２の排熱熱交換器５８を介して、吸収冷温水機側から排熱側へ熱が逆流する可能性があることを意味している。
従って、排熱が、吸収冷温水機側からの熱の逆流の可能性がある第２の排熱熱交換器５８をバイパスする様に、三方弁Ｖ２をバイパスラインＬ２−１２側に開く（ステップＳ４５）。そして、ステップＳ４７へ行く。
【０１４１】
排熱温度Ｔｉｎが稀溶液温度ＴＬ３よりも高温である場合（ＴＬ３＜Ｔｉｎ：ステップＳ４４がＹｅｓ）、排熱の温度レベルＴｉｎは溶液ラインＬ１−６内の吸収溶液温度よりも高温であり、第２の排熱熱交換器５８において、吸収冷温水機側から排熱ラインＬ２側へ熱が逆流することは無く、第２の排熱熱交換器５８を介して吸収冷温水機１０に排熱が投入されることを意味している。
従って、第３の三方弁Ｖ２は排熱ラインＬ２−１１側（第２の排熱熱交換器５８側）へ開き（ステップＳ４６）、ステップＳ４７へ行く。
【０１４２】
ステップＳ４７においては、排熱焚再生器３０で加熱された吸収溶液（溶液ラインＬ３−２を流れる吸収溶液）の液温ＴＬ２と、排熱ラインＬ２−１３を流れる排熱温度ＴＬ４とを比較する。
【０１４３】
排熱温度ＴＬ４が吸収溶液液温ＴＬ２よりも低い（ＴＬ４＜ＴＬ２：ステップＳ４７がＮｏ）ということは、排熱ラインＬ２−１３の排熱温度レベルでは、排熱焚再生器３０から熱が逆流する可能性があることを意味している。
従って、排熱が、吸収冷温水機側からの熱の逆流の可能性がある排熱焚再生器３０をバイパスして、熱の逆流しない第１の排熱熱交換器５２だけを流れる様に、第２の三方弁Ｖ１をバイパスラインＬ２−４側へ開く（ステップＳ４８）。
【０１４４】
ステップＳ４７において、ラインＬ２−１３の排熱温度ＴＬ４が、吸収溶液液温ＴＬ２よりも高ければ（ＴＬ４＞ＴＬ２）、排熱焚再生器３０を介して熱が逆流することは無い旨を意味している。
従って、第２の三方弁Ｖ１を排熱ラインＬ２−３（排熱焚再生器３０）側へ開き、排熱焚再生器３０を介して、排熱が吸収冷温水機に投入される（ステップＳ４９）。
【０１４５】
ここで、ステップＳ５０はステップＳ４２が「Ｙｅｓ」の場合にのみ到達するステップである。換言すれば、ステップＳ５０に到達するためには、排熱温度Ｔｉｎが稀溶液温度ＴＬ１よりも高温であり、少なくとも第１の排熱熱交換器５２では熱の逆流が生じることは無く、第１の三方弁ＶＰが排熱ラインＬ２−１側へ開いていることが前提となっている。従って、第１の排熱熱交換器５２を介して、排熱が吸収冷温水機へ投入される。
【０１４６】
ステップＳ４３、Ｓ５０のいずれかの制御を行った後に、制御を終了するか否かを判断し（ステップＳ５１）、制御を続行するのであれば、ステップＳ４１に戻る（ステップＳ５１がＮｏのループ）。
【０１４７】
図２８をも参照して説明したこの制御態様であれば、図１２、図１３で説明したのと同様に、従来は排熱として利用することが出来なかった様な温度レベルの排熱も、液温が比較的低い稀溶液に投入して、有効利用することが出来る。
また、排熱のより精緻なカスケード利用を達成して、排熱の利用効率を更に高めることが出来る。しかも、吸収冷温水機側から排熱側へ熱の逆流が生じることも、完全に防止している。
それに加えて、排熱温度、溶液の液温の双方が測定されるので、実測値に基いた高精度な制御が実現される。
【０１４８】
なお、図２７は（図１４の）シリーズフロータイプの吸収冷温水機の液温を実測して制御を行っているが、その他のタイプの吸収冷温水機についても、上述したのと同様な制御を行うことが可能である。
【０１４９】
図示の実施形態はあくまでも例示であり、本発明の技術的範囲を限定する趣旨の記述ではない旨を付記する。
【１５０】
【発明の効果】
本発明の作用効果を以下に列挙する。
（１）  従来は排熱として利用することが出来なかった様な低温度レベルの排熱も、液温が比較的低い稀溶液に投入して、有効利用することが出来る。
（２）  排熱が比較的高温である場合には、吸収冷温水機内を循環する溶液ラインの各種温度レベルで利用することが出来るので、排熱のカスケード利用を達成出来る。
（３）  排熱の利用効率が向上する。
（４）  吸収冷温水機側から排熱側へ熱の逆流が生じることも、完全に防止される。
（５）  排熱温度、溶液液温の実測値に基いて、高精度な制御を行うことが可能である。
【図面の簡単な説明】
【図１】本発明の第１実施形態を示す模式的に表現するブロック図。
【図２】図１の実施形態の制御フローチャートを示す図。。
【図３】本発明の第２実施形態を示す模式的に表現するブロック図。
【図４】本発明の第３実施形態を示す模式的に表現するブロック図。
【図５】本発明の第４実施形態を示す模式的に表現するブロック図。
【図６】本発明の第５実施形態を示す模式的に表現するブロック図。
【図７】本発明の第６実施形態を示す模式的に表現するブロック図。
【図８】本発明の第７実施形態を示す模式的に表現するブロック図。
【図９】本発明の第８実施形態を示す模式的に表現するブロック図。
【図１０】本発明の第９実施形態を示す模式的に表現するブロック図。
【図１１】本発明の第１０実施形態を示す模式的に表現するブロック図。
【図１２】本発明の第１１実施形態を示す模式的に表現するブロック図。
【図１３】本発明の第１１実施形態の制御フローチャートを示す図。
【図１４】本発明の第１２実施形態を示す模式的に表現するブロック図。
【図１５】本発明の第１３実施形態を示す模式的に表現するブロック図。
【図１６】本発明の第１４実施形態を示す模式的に表現するブロック図。
【図１７】本発明の第１５実施形態を示す模式的に表現するブロック図。
【図１８】本発明の第１６実施形態を示す模式的に表現するブロック図。
【図１９】本発明の第１７実施形態を示す模式的に表現するブロック図。
【図２０】本発明の第１８実施形態を示す模式的に表現するブロック図。
【図２１】本発明の第１９実施形態を示す模式的に表現するブロック図。
【図２２】本発明の第２０実施形態を示す模式的に表現するブロック図。
【図２３】本発明の第２１実施形態を示す模式的に表現するブロック図。
【図２４】本発明の第２１実施形態の制御フローチャートを示す図。
【図２５】本発明の第２２実施形態を示す模式的に表現するブロック図。
【図２６】本発明の第２２実施形態の制御フローチャートを示す図。
【図２７】本発明の第２３実施形態を示す模式的に表現するブロック図。
【図２８】本発明の第２３実施形態の制御フローチャートを示す図。
【図２９】従来技術にかかる吸収冷温水機を示すブロック図。
【符号の説明】
１０・・・吸収式冷温水機
１２・・・吸収器
１３、３１、３３・・・ポンプ
１４・・・高温再生器
１６・・・低温再生器
１８・・・凝縮器
２０・・・蒸発器
２２・・・低温溶液熱交換器
２４・・・高温溶液熱交換器
３０・・・排熱焚再生器
ＶＰ・・・三方弁（第１の三方弁）
Ｖ１・・・三方弁（第２の三方弁）
Ｖ２・・・三方弁（第３の三方弁）
５２・・・第１の排熱熱交換器
５４・・・第２の凝縮器
５８・・・第２の排熱熱交換器
Ｌ２・・・排熱ライン
ＢＰ・・・第１の分岐点
ＢＰ０・・・第１の合流点
ＢＰ１・・・第２の分岐点
ＢＰ２・・・第２の合流点
ＢＰ３・・・第３の分岐点
ＢＰ４・・・第３の合流点
ＢＰＧ・・・排熱ラインの合流点
５０・・・排熱用の温度センサ（第１の排熱用温度センサ）
１５６・・・第１の溶液温度センサ
１５８・・・第２の溶液温度センサ
１６６・・・第３の溶液温度センサ
１６８・・・第２の排熱用温度センサ
【図１】
0003788567.tif 000002
【図２】
0003788567.tif 000003
【図３】
0003788567.tif 000004
【図４】
0003788567.tif 000005
【図５】
0003788567.tif 000006
【図６】
0003788567.tif 000007
【図７】
0003788567.tif 000008
【図８】
0003788567.tif 000009
【図９】
0003788567.tif 000010
【図１０】
0003788567.tif 000011
【図１１】
0003788567.tif 000012
【図１２】
0003788567.tif 000013
【図１３】
0003788567.tif 000014
【図１４】
0003788567.tif 000015
【図１５】
0003788567.tif 000016
【図１６】
0003788567.tif 000017
【図１７】
0003788567.tif 000018
【図１８】
0003788567.tif 000019
【図１９】
0003788567.tif 000020
【図２０】
0003788567.tif 000021
【図２１】
0003788567.tif 000022
【図２２】
0003788567.tif 000023
【図２３】
0003788567.tif 000024
【図２４】
0003788567.tif 000025
【図２５】
0003788567.tif 000026
【図２６】
0003788567.tif 000027
【図２７】
0003788567.tif 000028
【図２８】
0003788567.tif 000029
【図２９】
0003788567.tif 000030